(57)【要約】【課題】小切手、手形等の有価証券を収納する場合に、有価証券の大字により表記された金額と一致する算用数字の金額情報を効率的かつ正確に入力することを課題とする。【解決手段】操作員が、大字による入力を選択し（ステップＳ１）、小切手の画像に記入された大字と同じものを入力すると（ステップＳ２）、入力された大字が表示されるとともに（ステップＳ３）、この大字文字列を算用数字に変換して金額欄に表示する（ステップＳ４）。【選択図】図１
2017168013.tif 000002
【特許請求の範囲】
【請求項１】
所定の投入部に投入された有価証券の画像を撮像する撮像部と、
前記画像に含まれる大字の金額情報に対応する算用数字による金額情報の入力を補助する入力補助部と、
前記有価証券の画像及び前記算用数字による金額情報を所定の操作表示部に表示制御する表示制御部と
を有することを
特徴とする貨幣処理システム。
【請求項２】
少なくとも前記有価証券の画像及び大字の金額情報を含む取引データを記憶する記憶部をさらに有することを特徴とする請求項１に記載の貨幣処理システム。
【請求項３】
前記入力補助部は、
大字の金額情報の操作入力を受け付ける受付部と、
前記受付部により受け付けた大字の金額情報を算用数字の金額情報に変換処理する変換処理部と
を有することを特徴とする請求項１又は２に記載の貨幣処理システム。
【請求項４】
前記表示制御部は、
操作入力された大字の金額情報と前記有価証券の画像に含まれる大字の金額情報とを対比可能に操作表示部に表示制御する
ことを特徴とする請求項３に記載の貨幣処理システム。
【請求項５】
前記表示制御部は、
金額情報の入力対象となる複数の大字をそれぞれ操作キーに割り当てた操作部を前記操作表示部に表示制御し、
前記受付部は、
前記操作部から入力された複数の大字により形成される金額情報を受け付ける
ことを特徴とする請求項３又は４に記載の貨幣処理システム。
【請求項６】
前記操作部から入力された各大字と、前記有価証券の画像に含まれる各大字との整合性を判定する判定部と、
前記判定部により不整合と判定された場合に、所定の報知を行う報知部と
をさらに有することを特徴とする請求項５に記載の貨幣処理システム。
【請求項７】
前記判定部は、
前記操作表示部に表示された所定の確認ボタンが操作された場合に、前記操作部から入力された各大字と、前記有価証券の画像に含まれる各大字との整合性を判定する
ことを特徴とする請求項６に記載の貨幣処理システム。
【請求項８】
前記判定部は、
前記操作部から入力された各大字又は前記有価証券の画像に含まれる各大字が、大字の記述ルールに適合するか否かを判定し
前記報知部は、
前記判定部により不整合又は不適合と判定された場合に、所定の報知を行う
ことを特徴とする請求項６に記載の貨幣処理システム。
【請求項９】
前記入力補助部は、
算用数字の金額情報の操作入力を受け付ける受付部と、
前記受付部により受け付けた算用数字の金額情報を大字の金額情報に変換処理する変換処理部とを有し、
前記表示制御部は、
前記有価証券の画像及び前記算用数字による金額情報とともに、前記変換処理部により変換処理された大字の金額情報を前記操作表示部に表示制御する
ことを特徴とする請求項１に記載の貨幣処理システム。
【請求項１０】
前記入力補助部は、
前記有価証券が一時保留部に一時保留されたことを条件として、前記画像に含まれる大字の金額情報に対応する算用数字による金額情報の入力を補助する
ことを特徴とする請求項１〜９のいずれか一つに記載の貨幣処理システム。
【請求項１１】
所定の投入部に投入された有価証券を処理する装置における有価証券処理方法であって、
前記有価証券の画像に含まれる大字の金額情報に対応する算用数字による金額情報の入力を補助する入力補助工程と、
前記有価証券の画像及び前記算用数字による金額情報を所定の操作表示部に表示制御する表示制御工程と
を含んだことを特徴とする有価証券処理方法。
【発明の詳細な説明】
【技術分野】
【０００１】
この発明は、小切手、手形等の有価証券を収納する場合に、有価証券の大字により表記された金額と一致する算用数字の金額情報を効率的かつ正確に入力することができる貨幣処理システム及び有価証券処理方法に関する。
【背景技術】
【０００２】
従来、銀行等の金融機関には、いわゆる出納機と呼ばれる貨幣処理システムが設けられることが多い。安全性、確実性及び省力化を図るためである。この貨幣処理システムは、硬貨、紙幣、小切手、手形等（以下、「有価媒体」と総称する）の入出金処理及び有価媒体に係る種々の処理を実行する。例えば、特許文献１には、小切手、手形等の有価証券を収納できる有価媒体処理装置を含む貨幣処理システムが開示されている。
【０００３】
ここで、小切手及び手形等の有価証券の金額欄には、「壱」、「億」、「萬」等の大字で表記された金額が記入される。金額の改ざんを防止するためである。このため、かかる有価証券を貨幣処理システムに収納する場合には、金融機関の操作員は、有価証券の大字で記入された金額を目視により認識しながら、この大字に相当する算用数字（アラビア数字）からなる金額情報を入力している。
【先行技術文献】
【特許文献】
【０００４】
【特許文献１】特開２０１４−７１５２３号公報
【発明の概要】
【発明が解決しようとする課題】
【０００５】
しかしながら、操作員が、大字により表記された金額を参照して算用数字の金額情報を入力するためには、両者の一致を確認する必要があるため、多大の確認時間を要するという問題がある。例えば、大字で表記された金額「金壱億壱阡四百伍萬壱也」を参照しながら、算用数字の金額「１１４，０５０，００１円」を入力するのは難しく、確認作業に時間を要する結果となる。
【０００６】
特に、操作員が有価証券の取り扱いに不慣れな場合、有価証券の金額欄に手書きにより大字の金額が記入されている場合、光学式文字読取装置（ＯＣＲ）によって有価証券の金額が正確に文字列化されない場合には、かかる算用数字の金額情報の入力作業及び確認作業に多大の時間を要する。
【０００７】
これらのことから、小切手、手形等の有価証券を収納する場合に、有価証券の大字により表記された金額と一致する算用数字の金額情報をいかに効率的かつ正確に入力できるようにするかが重要な課題となっている。
【０００８】
本発明は、上記の従来技術の課題を解決するためになされたものであって、小切手、手形等の有価証券を収納する場合に、有価証券の大字により表記された金額と一致する算用数字の金額情報を効率的かつ正確に入力することができる貨幣処理システム及び有価証券処理方法を提供することを目的とする。
【課題を解決するための手段】
【０００９】
上記の課題を解決するため、本発明は、所定の投入部に投入された有価証券の画像を撮像する撮像部と、前記画像に含まれる大字の金額情報に対応する算用数字による金額情報の入力を補助する入力補助部と、前記有価証券の画像及び前記算用数字による金額情報を所定の操作表示部に表示制御する表示制御部とを有することを特徴とする。
【００１０】
また、本発明は、上記の発明において、少なくとも前記有価証券の画像及び大字の金額情報を含む取引データを記憶する記憶部をさらに有することを特徴とする。
【００１１】
また、本発明は、上記の発明において、前記入力補助部は、大字の金額情報の操作入力を受け付ける受付部と、前記受付部により受け付けた大字の金額情報を算用数字の金額情報に変換処理する変換処理部とを有することを特徴とする。
【００１２】
また、本発明は、上記の発明において、前記表示制御部は、操作入力された大字の金額情報と前記有価証券の画像に含まれる大字の金額情報とを対比可能に操作表示部に表示制御することを特徴とする。
【００１３】
また、本発明は、上記の発明において、前記表示制御部は、金額情報の入力対象となる複数の大字をそれぞれ操作キーに割り当てた操作部を前記操作表示部に表示制御し、前記受付部は、前記操作部から入力された複数の大字により形成される金額情報を受け付けることを特徴とする。
【００１４】
また、本発明は、上記の発明において、前記操作部から入力された各大字と、前記有価証券の画像に含まれる各大字との整合性を判定する判定部と、前記判定部により不整合と判定された場合に、所定の報知を行う報知部とをさらに有することを特徴とする。
【００１５】
また、本発明は、上記の発明において、前記判定部は、前記操作表示部に表示された所定の確認ボタンが操作された場合に、前記操作部から入力された各大字と、前記有価証券の画像に含まれる各大字との整合性を判定することを特徴とする。
【００１６】
また、本発明は、上記の発明において、前記判定部は、前記操作部から入力された各大字又は前記有価証券の画像に含まれる各大字が、大字の記述ルールに適合するか否かを判定し、前記報知部は、前記判定部により不整合又は不適合と判定された場合に、所定の報知を行うことを特徴とする。
【００１７】
また、本発明は、上記の発明において、前記入力補助部は、算用数字の金額情報の操作入力を受け付ける受付部と、前記受付部により受け付けた算用数字の金額情報を大字の金額情報に変換処理する変換処理部とを有し、前記表示制御部は、前記有価証券の画像及び前記算用数字による金額情報とともに、前記変換処理部により変換処理された大字の金額情報を前記操作表示部に表示制御することを特徴とする。
【００１８】
また、本発明は、上記の発明において、前記入力補助部は、前記有価証券が一時保留部に一時保留されたことを条件として、前記画像に含まれる大字の金額情報に対応する算用数字による金額情報の入力を補助することを特徴とする。
【００１９】
また、本発明は、所定の投入部に投入された有価証券を処理する装置における有価証券処理方法であって、前記有価証券の画像に含まれる大字の金額情報に対応する算用数字による金額情報の入力を補助する入力補助工程と、前記有価証券の画像及び前記算用数字による金額情報を所定の操作表示部に表示制御する表示制御工程とを含んだことを特徴とする。
【発明の効果】
【００２０】
本発明によれば、所定の投入部に投入された有価証券の画像を撮像する撮像部と、画像に含まれる大字の金額情報に対応する算用数字による金額情報の入力を補助する入力補助部と、有価証券の画像及び算用数字による金額情報を所定の操作表示部に表示制御する表示制御部とを有するよう構成したので、小切手、手形等の有価証券を収納する場合に、有価証券の大字により表記された金額と一致する算用数字の金額情報を効率的かつ正確に入力することが可能となる。
【図面の簡単な説明】
【００２１】
【図１】図１は、本実施例に係る貨幣処理システムの特徴を説明するための説明図である。
【図２】図２は、本実施例に係る貨幣処理システムの全体構成図である。
【図３】図３は、図２に示す貨幣処理システムの機能ブロック図である。
【図４】図４は、図２に示す有価媒体処理装置の内部構成図である。
【図５】図５は、図４に示す有価媒体処理装置の機能ブロック図である。
【図６】図６は、図４に示す有価媒体処理装置における小切手の入金処理手順を示すフローチャートである。
【図７】図７は、図６に示す入金処理における有価媒体処理装置の動作を説明するための説明図である。
【図８】図８は、図２に示す操作表示部の機能ブロック図である。
【図９】図９は、券面確認画面の一例を示す図である。
【図１０】図１０は、図８に示す操作表示部の大字キー使用時の処理手順を示すフローチャートである。
【図１１】図１１は、図８に示す操作表示部のテンキー使用時の処理手順を示すフローチャートである。
【図１２】図１２は、テンキー使用時の変形例を説明するための説明図である。
【図１３】図１３は、テンキー使用時の変形例の処理手順を示すフローチャートである。
【発明を実施するための形態】
【実施例】
【００２２】
以下に添付図面を参照して、本実施例に係る貨幣処理システム及び有価証券処理方法について説明する。
【００２３】
＜用語の定義＞
まず、本実施例で用いる用語について説明する。本実施例に示す「有価媒体」は、損券や旧券等を含む紙幣と、紙幣以外の特定の有価証券とを含むものである。この「損券」とは、損傷又は汚損の程度が大きい紙幣を意味し、「旧券」とは、現在発行されている紙幣よりも発行された年代が古い紙幣を意味する。また、「特定の有価証券」とは、小切手や手形等の予め設定された種類の有価証券を意味する。なお、「新券」とは、中央銀行から銀行等の金融機関に配送され、未だ市場流通していない紙幣を意味する。
【００２４】
＜貨幣処理システムの特徴＞
本実施例に係る貨幣処理システム１の特徴について説明する。図１は、本実施例に係る貨幣処理システム１の特徴を説明するための説明図である。ここでは、貨幣処理システム１に設けられた操作表示部６００の券面確認画面６１０において、有価証券の一例として小切手の券面確認を行う場合について説明する。
【００２５】
まず、この券面確認画面６１０が表示される前段階の処理について説明する。この貨幣処理システム１には、有価証券及び損券等の有価媒体を収納する有価媒体処理装置５００（詳細については後述する）が設けられており、小切手が有価媒体処理装置５００に投入されると、撮像部１６（詳細については後述する）において小切手の画像データが撮像され、撮像された画像データが操作表示部６００に受け渡されるとともに、機体内に収納可能な小切手については一時保留部２０（詳細については後述する）に一時保留される。かかる一時保留部２０に有価媒体を一時保留した状態で、操作表示部６００には券面確認画面６１０が表示される。操作員は、この券面確認画面６１０上で小切手に記載された金額情報の入力を行い、この金額情報を含む取引データを記憶部６５０（詳細については後述する）に記憶する。
【００２６】
かかる券面確認において、操作員は、小切手に記入された大字の金額を算用数字で入力する必要がある。しかしながら、操作員が大字の金額を算用数字に置き換えて入力するのは難しく、算用数字の金額情報の入力作業及び確認作業に多大の時間を要するという問題がある。例えば、大字で表記された金額「金壱億壱阡四百伍萬壱也」を参照しながら、算用数字の金額「１１４，０５０，００１円」を効率良く入力するのは難しい。
【００２７】
そこで、本実施例に係る貨幣処理システム１では、操作員が、大字による入力を選択し（ステップＳ１）、小切手の画像データに記入された大字と同じものを入力すると（ステップＳ２）、入力された大字が表示されるとともに（ステップＳ３）、この大字文字列を算用数字に変換して金額欄に表示する（ステップＳ４）ようにしている。これにより、操作員は、小切手の画像データに記入された大字と、入力された大字との一致確認を行うだけで（ステップＳ５）、正確な算用数字の金額を効率良く入力することができる。
【００２８】
＜貨幣処理システム全体の概要＞
次に、本実施例に係る貨幣処理システム１について説明する。図２は、本実施例に係る貨幣処理システムの全体構成図である。図２に示すように、貨幣処理システム１は、バラ紙幣処理装置１００、束紙幣処理装置２００、バラ硬貨処理装置３００、包装硬貨処理装置４００、有価媒体処理装置５００、操作表示部６００及びプリンタ７００を有する。図２に示すように、バラ紙幣処理装置１００、束紙幣処理装置２００、バラ硬貨処理装置３００、包装硬貨処理装置４００及び有価媒体処理装置５００は並列に配置され一体的に設けられている。
【００２９】
ここで、バラ紙幣処理装置１００及び束紙幣処理装置２００は、装置間で紙幣を受渡可能に構成されている。また、バラ硬貨処理装置３００及び包装硬貨処理装置４００は、装置間で硬貨を受渡可能に構成されている。また、バラ硬貨処理装置３００及び包装硬貨処理装置４００の上面に、操作表示部６００及びプリンタ７００が配設されている。
【００３０】
操作表示部６００は、タッチパネル等からなる入出力デバイスであり、各種情報の入力又は各種情報の表示出力を行う。操作員は、この操作表示部６００を用いて有価媒体の入金操作及び券面確認操作等を行う。なお、ここでは１台の操作表示部６００のみを設けた場合を図示したが、複数台の操作表示部６００を設け、入出力内容に応じて使い分けることもできる。
【００３１】
バラ紙幣処理装置１００は、その内部に、バラ紙幣を金種別に収納できるようになっており、操作員は、このバラ紙幣処理装置１００を利用してバラ紙幣の入金処理又は出金処理を行う。
【００３２】
また、束紙幣処理装置２００の内部には束紙幣形成部（図示せず）が設けられており、バラ紙幣処理装置１００から所定の枚数（例えば、１００枚）のバラ紙幣が束紙幣処理装置２００に送られると、この束紙幣形成部により束紙幣が形成される。束紙幣形成部により形成された束紙幣は、束紙幣処理装置２００から機体外に投出される。
【００３３】
バラ硬貨処理装置３００は、その内部に、バラ硬貨を金種別に収納できるようになっており、このバラ硬貨処理装置３００を利用してバラ硬貨の入金処理や出金処理を行う。また、包装硬貨処理装置４００の内部には包装硬貨形成部（図示せず）が設けられており、バラ硬貨処理装置３００から所定の枚数（例えば、５０枚）のバラ硬貨が包装硬貨処理装置４００に送られると、包装硬貨形成部により包装硬貨が形成される。包装硬貨形成部により形成された包装硬貨は、包装硬貨処理装置４００から機体外に投出される。
【００３４】
また、バラ紙幣処理装置１００は、損券又は紙幣以外の有価媒体がバラ紙幣処理装置１００の機体内に投入された場合には、このバラ紙幣処理装置１００の内部に収納されず、機体外に排出される。かかるバラ紙幣処理装置１００で受け付けることができない損券又は紙幣以外の有価媒体は、有価媒体処理装置５００に投入され、有価媒体処理装置５００の機体内に収納される。
【００３５】
図３は、図２に示す貨幣処理システム１の機能ブロック図である。図３に示すように、貨幣処理システム１は、図２に示すバラ紙幣処理装置１００、束紙幣処理装置２００、バラ硬貨処理装置３００、包装硬貨処理装置４００及び有価媒体処理装置５００を有する。
【００３６】
また、貨幣処理システム１は、上記の各装置に共用される操作表示部６００と、プリンタ７００と、ＲＯＭ（Ｒｅａｄ  Ｏｎｌｙ  Ｍｅｍｏｒｙ）８０４と、ＲＡＭ（Ｒａｎｄｏｍ  Ａｃｃｅｓｓ  Ｍｅｍｏｒｙ）８０６と、ハードディスク装置等の記憶部８０８と、操作員のＩＤ情報の入力装置であるＩＤカードリーダ８１０と、通信部８０２と、各構成部を制御する制御部８００とを有する。
【００３７】
制御部８００は、貨幣処理システム１全体を制御する制御部であり、バラ紙幣処理装置１００、束紙幣処理装置２００、バラ硬貨処理装置３００、包装硬貨処理装置４００及び有価媒体処理装置５００を制御する。具体的には、この制御部８００は、ＲＯＭ８０４及び記憶部８０８内のプログラムをロードして実行し、ＲＡＭ８０６をワークエリアとして使用する。なお、記憶部８０８には、貨幣処理システム１の設定情報、貨幣処理システム１を構成する各装置における貨幣の処理状況や在高に関する情報等が記憶される。
【００３８】
操作表示部６００は、タッチパネル等の入出力デバイスであり、操作員が貨幣処理システム１の各装置に対して様々な指令を与える入力装置として機能するとともに、貨幣処理システム１を構成する各装置における貨幣の処理状況や在高に関する情報等を表示する出力装置としても機能する。また、券面確認操作を行う場合にも利用される。
【００３９】
プリンタ７００は、各種のデータを用紙に印字する出力デバイスであり、例えば、貨幣処理システム１を構成する各装置における貨幣の処理状況や在高に関する情報等が印字される。
【００４０】
通信部８０２は、ホストコンピュータ等の外部装置との間で通信を行うインタフェース部である。ＩＤカードリーダ８１０は、操作員が所持するＩＤカードのＩＤ情報の読み取りを行うデバイスである。このＩＤカードリーダ８１０により読み取られたＩＤ情報に基づいて、操作員の権限等が認証される。
【００４１】
＜有価媒体処理装置の構成＞
次に、図１及び図２に示した有価媒体処理装置５００について説明する。この有価媒体処理装置５００は、損傷又は汚損の程度が大きい紙幣（損券）、現在発行されている紙幣よりも発行された年代が古い紙幣（旧券）、小切手等の有価媒体を処理する装置であり、図２に示すバラ紙幣処理装置１００に収納されずに機体外に排出された損券や小切手等の有価媒体を処理する場合に利用される。また、この有価媒体処理装置５００には新券が収納されており、この新券を出金する場合に利用される。
【００４２】
図４は、有価媒体処理装置５００の内部構成図である。図中の左側の側面が有価媒体処理装置５００の前面となっており、図中の右側の側面が有価媒体処理装置５００の背面となっている。
【００４３】
図４に示すように、この有価媒体処理装置５００には、有価媒体を機体内に投入するための投入部１０と、機体内に収納された新券等を機体外に投出するための払出部６０とが設けられている。この投入部１０及び払出部６０は、有価媒体処理装置５００の機体前面（図４における左側の側面）に設けられている。
【００４４】
また、投入部１０には繰出機構１２が設けられており、操作員によって投入部１０に束状態で投入された有価媒体は、この繰出機構１２により１枚ずつ機体内に繰り出される。また、図４に示すように、有価媒体処理装置５００の機体内には搬送部１４が設けられており、投入部１０から繰出機構１２により１枚ずつ繰り出された有価媒体は、搬送部１４により１枚ずつ搬送される。
【００４５】
また、繰出機構１２下流の搬送部１４には撮像部１６が設けられている。この撮像部１６は、有価媒体処理装置５００の機体内に投入された有価媒体を撮像して画像データを取得する。この画像データは、貨幣処理システム１の操作表示部６００に受け渡される。
【００４６】
また、搬送部１４には一時保留部２０が設けられており、有価媒体処理装置５００の機体内に投入された有価媒体は、一時保留部２０に一時的に保留される。なお、この一時保留部２０には、新券収納部５０に収納された新券を払い出す場合に、異常が検知された新券についても一時保留される。
【００４７】
この一時保留部２０は、有価媒体をテープに挟んで巻き取るテープ巻取方式のものである。具体的には、この一時保留部２０は、正逆両方向に回転可能なドラム２０ａを有しており、このドラム２０ａによって一対のテープの巻き取り及び送り出しが行われる。これにより、搬送部１４から一時保留部２０に送られた有価媒体は、一対のテープの間に挟まれた状態で１枚ずつ順次ドラム２０ａにより巻き取られて収納される。また、ドラム２０ａを逆転させると、巻き取られた有価媒体が１枚ずつ繰り出されて、搬送部１４に送り出される。なお、この一時保留部２０の具体的な構造の説明については後述する。
【００４８】
また、有価媒体処理装置５００の機体内には、小切手や手形等の特定の有価証券を収納する特定有価証券収納部３０と、損券や旧券を収納する損券収納部４０、４２とがそれぞれ設けられている。具体的には、特定有価証券収納部３０は、第１の収納部３０ａ、第２の収納部３０ｂ及び第３の収納部３０ｃの３つの収納部から構成されている。
【００４９】
第１の収納部３０ａには、貨幣処理システム１が設置されている銀行と同じ銀行における他の支店で発行された小切手等が収納される。また、第２の収納部３０ｂと第３の収納部３０ｃには、貨幣処理システム１が設置されている銀行とは異なる銀行で発行された小切手等が収納される。例えば、第２の収納部３０ｂには、貨幣処理システム１が設置されている場所から比較的近い場所で発行された小切手等が収納され、第３の収納部３０ｃには、貨幣処理システム１が設置されている場所から比較的遠い場所で発行された小切手等が収納される。
【００５０】
特定有価証券収納部３０の各収納部３０ａ、３０ｂ及び３０ｃは集積方式の収納部であり、搬送部１４からこれらの収納部３０ａ、３０ｂ及び３０ｃに送られた小切手等は、すでに収納部３０ａ、３０ｂ、３０ｃに収納された小切手等の上に積み重ねられるようにして収納される。
【００５１】
損券収納部４０、４２には、損券が収納される。例えば、搬送補助シートを適用された損券が損券収納部４０に収納され、搬送補助シートを適用されない損券が損券収納部４２に収納される。
【００５２】
損券収納部４０は、集積方式の収納部であり、搬送部１４から損券収納部４０に送られた損券は、既に損券収納部４０に収納されている損券の上に積み重ねられるようにして収納される。
【００５３】
損券収納部４２は、テープ巻取方式の収納部である。具体的には、この損券収納部４２は、上記の一時保留部２０と同様に、正逆両方向に回転可能なドラム４２ａを有している。そして、搬送部１４から損券収納部４２に送られた損券は、一対のテープの間に挟まれた状態で１枚ずつ順次ドラム４２ａにより巻き取られて収納される。また、ドラム４２ａを逆転させると、巻き取られた損券が１枚ずつ繰り出されて、搬送部１４に送出される。
【００５４】
図４に示すように、小切手等の特定の有価証券を収納する特定有価証券収納部３０は、損券を収納する損券収納部４０、４２の上方に設けられる。また、一時保留部２０は、特定有価証券収納部３０や損券収納部４０、４２の上方に設けられる。
【００５５】
また、有価媒体処理装置５００の機体内には、新券を収納する新券収納部５０が設けられる。具体的には、この新券収納部５０は、第１の収納部５０ａ、第２の収納部５０ｂ、第３の収納部５０ｃ及び第４の収納部５０ｄを有する。
【００５６】
例えば、第１の収納部５０ａには新券の１万円札が収納され、第２の収納部５０ｂには新券の千円札が収納され、第３の収納部５０ｃには新券の五千円札が収納される。また、第４の収納部５０ｄに収納される新券の金種は、操作員により選択される。これらの各収納部５０ａ、５０ｂ、５０ｃ、５０ｄには、それぞれ繰出機構５２ａ、５２ｂ、５２ｃ、５２ｄが設けられ、収納部５０ａ、５０ｂ、５０ｃ、５０ｄに収納されている新券は、それぞれ繰出機構５２ａ、５２ｂ、５２ｃ、５２ｄにより搬送部１４に１枚ずつ繰り出される。この新券収納部５０は、図４に示すように、特定有価証券収納部３０や損券収納部４０の機体前方（図４における左側）に設けられる。
【００５７】
払出部６０は、搬送部１４に接続されている。新券は、この搬送部１４によって払出部６０に搬送され、この払出部６０で積み重ねるようにして投出される。この払出部６０には羽根車６２が設けられており、搬送部１４から羽根車６２に送られた新券は、羽根車６２を形成する一対の羽根の間に挟まれた状態で該羽根車６２が図４における反時計回りの方向に回転することにより払出部６０に送られる。かかる羽根車６２を設けることにより、払出部６０に集積される新券を整列させることができる。
【００５８】
また、払出部６０にはシャッタ６１ａが設けられており、操作員は、このシャッタ６１ａが開放状態となったときに、払出部６０に集積された新券を取り出すことができる。また、払出部６０には抜き取り検知部６１ｂが設けられており、払出部６０に集積された新券が当該払出部６０から抜き取られたことを検知する。
【００５９】
図４に示すように、有価媒体処理装置５００の機体内で有価媒体を搬送する搬送部１４には、第１の搬送部１４ａ及び第２の搬送部１４ｂが含まれる。第１の搬送部１４ａは、投入部１０から機体内に投入された有価媒体を、一時保留部２０、特定有価証券収納部３０、損券収納部４０に搬送する。第２の搬送部１４ｂは、新券収納部５０に収納された新券を払出部６０に搬送する。
【００６０】
ここで、第１の搬送部１４ａにおける有価媒体の搬送路と、第２の搬送部１４ｂにおける新券の搬送路とは、互いに独立に設けられる。すなわち、第１の搬送部１４ａは図４に示す仮想線Ｌの右側に設けられ、第２の搬送部１４ｂは仮想線Ｌの左側に設けられる。第１の搬送部１４ａ及び第２の搬送部１４ｂは、接続箇所１４ｐで接続されているが、それ以外の箇所では互いに独立している。
【００６１】
また、搬送部１４における第２の搬送部１４ｂには簡易識別部６４が設けられている。簡易識別部６４は、新券収納部５０から第２の搬送部１４ｂに繰り出された新券の金種を識別する。この簡易識別部６４によって新券の異常が検知されたならば、この新券は第１の搬送部１４ａ、接続箇所１４ｐ及び第２の搬送部１４ｂを経由して一時保留部２０に一時保留される。新券の繰り出しを行う場合に、複数枚の新券が繰り出されてしまい、これにより異常が発生する場合が多いためである。なお、新券の出金が終了したならば、この一時保留部２０に一時保留された新券は、元の新券収納部５０に戻される。
【００６２】
また、有価媒体処理装置５００の前面（図４における左側の側面）には扉１８が設けられており、特定の権限を有する者が、この扉１８を開けて有価媒体処理装置５００の機体内部にアクセスできるようになっている。この扉１８を開くことにより、新券収納部５０への新券の補充又は新券収納部５０からの新券の取り出しを行うことができる。
【００６３】
＜有価媒体処理装置の機能及び動作＞
次に、有価媒体処理装置５００の機能について説明する。図５は、図４に示す有価媒体処理装置５００の機能ブロック図である。図５に示すように、この有価媒体処理装置５００には制御部８０が設けられており、この制御部８０により有価媒体処理装置５００の各構成部位が制御される。
【００６４】
制御部８０には、図４に示した撮像部１６、搬送部１４、特定有価証券収納部３０、損券収納部４０，４２、新券収納部５０、投入部１０、払出部６０、一時保留部２０、記憶部８２及び通信部８４等の構成部位が接続される。
【００６５】
制御部８０は、撮像部１６、搬送部１４、特定有価証券収納部３０、損券収納部４０，４２、新券収納部５０、投入部１０、払出部６０、一時保留部２０等の各構成部位に指令信号を送ることにより各構成部位を制御する。
【００６６】
記憶部８２は、ハードディスク装置又は不揮発性メモリ等の記憶デバイスであり、有価媒体処理装置５００に関する設定情報、特定有価証券収納部３０、損券収納部４０，４２、新券収納部５０等に収納された有価媒体の在高等に関する情報などを記憶する。また、制御部８０は、通信部８４を介して貨幣処理システム１の制御部８００に対して信号の送受信を行う。
【００６７】
＜小切手入金時の処理手順＞
次に、小切手を入金する場合の有価媒体処理装置５００の処理手順について説明する。なお、ここでは説明の便宜上、小切手を入金する場合について説明するが、他の有価媒体を入金する場合についても同様となる。
【００６８】
図６は、小切手を入金する場合の有価媒体処理装置５００の処理手順を示すフローチャートであり、図７は、図６に示す入金処理における有価媒体処理装置５００の動作を説明するための説明図である。ここでは、バラ紙幣処理装置１００の機体内に収納することができなかった小切手を有価媒体処理装置５００の機体内に入金する場合を示している。
【００６９】
まず、操作員は、自身が所持するＩＤカードをＩＤカードリーダ８１０に読み取らせ（ステップＳ１０１）、制御部８００は、ＩＤカードのＩＤ情報に基づいて操作員の権限等を確認する。
【００７０】
その後、操作員は、貨幣処理システム１の操作表示部６００を操作して入金モードを選択する（ステップＳ１０２）。具体的には、操作表示部６００には、入金モードとして「一枚取り込みモード（投入部１０に一枚ずつ載置された小切手を取り込むモード）」、「一括取り込みモード（投入部１０に載置された複数の小切手を一枚ずつ順次取り込むモード）」、「再取り込みモード（小切手を再び取り込むモード）」という３つのモードが表示され、操作員はこれらの３つのモードのうちから１つのモードを選択する。
【００７１】
その後、操作員が投入部１０に小切手を投入すると（図７のステップＳ１０）、繰出機構１２により小切手が有価媒体処理装置５００の機体内に１枚ずつ取り込まれ（ステップＳ１０３）、搬送部１４の第１の搬送部１４ａにより撮像部１６の位置まで搬送され、図７に示すように撮像部１６により画像データが取得される（ステップＳ１０４）。ここで、複数枚の小切手が取り込まれた場合には、各小切手の画像データが撮像部１６により取得される。
【００７２】
その後、図７に示すように、小切手は一時保留部２０の位置に搬送され、一時保留部２０に一時保留される（ステップＳ１０５）。このように、小切手を一時保留部２０に一時保留した状態で、該小切手の画像データが操作表示部６００に表示される（ステップＳ１０６）。ここで、操作者が券面確認を行って入金データを入力すると（ステップＳ１０７）、入金データ及び画像データが操作表示部６００に表示される（ステップＳ１０８）。なお、複数枚の小切手が取り込まれた場合には、各小切手の画像データが操作表示部６００に表示され、入金データの入力及び入金データの確定は、小切手ごとにそれぞれ実施され、その後収納されることになる。ここでは、券面確認の詳細な説明については後述する。
【００７３】
そして、入金データの確定操作が行われたならば（ステップＳ１０９；Ｙｅｓ）、図７に示すように、一時保留部２０に一時保留された小切手が第２の収納部３０ｂの位置に搬送され、該第２の収納部３０ｂに収納され（ステップＳ１１１）、入金データが記憶部８２に記憶され（ステップＳ１１２）、上記一連の処理が終了する。
【００７４】
一方、入金データの確定操作が行われず、確定操作がキャンセルされたならば（ステップＳ１０９；Ｎｏ）、小切手を払出部６０から返却して（ステップＳ１１０）、処理を終了する。なお、ここでは入金データの修正処理を行う場合の処理についてはその説明を省略する。
【００７５】
＜操作表示部６００の構成＞
次に、操作表示部６００の構成について説明する。図８は、図２に示した操作表示部６００の構成を示す機能ブロック図である。図８に示すように、操作表示部６００は、タッチパネル６０５、通信インタフェース部６２０、ＲＡＭ６３０、ＲＯＭ６４０、記憶部６５０、及び制御部６６０を有する。
【００７６】
この制御部６６０は、ＣＰＵ又はＭＰＵからなり、タッチパネル制御部６７０等を含む制御部６６０のプログラムをＲＯＭ６４０又は記憶部６５０からロードして実行し、上記の各機能部を形成することになる。
【００７７】
タッチパネル６０５は、入力可能な液晶パネル等からなる入出力デバイスであり、画像及びデータの表示並びにデータの入力を行う。通信インタフェース部６２０は、貨幣処理システム１を形成する各装置（バラ紙幣処理装置１００、束紙幣処理装置２００、バラ硬貨処理装置３００、包装硬貨処理装置４００、有価媒体処理装置５００及びプリンタ７００）とデータを授受するインタフェース部である。
【００７８】
ＲＡＭ６３０は、制御部６６０のワークエリアとして使用される揮発性メモリであり、ＲＯＭ６４０は、制御部６６０（ＣＰＵ）で実行する各種のプログラムを記憶するメモリである。記憶部６５０は、ハードディスク装置やフラッシュメモリ等の不揮発性メモリなどからなり、取引データ等を記憶するデバイスである。
【００７９】
制御部６６０は、操作表示部６００の全体制御を行う制御部であり、タッチパネル６０５の制御を行うタッチパネル制御部６７０を有する。このタッチパネル制御部６７０は、大字入力受付部６７１、大字表示部６７２及び金額表示部６７３を有する。
【００８０】
大字入力受付部６７１は、操作者による大字の入力操作を受け付ける処理部である。具体的には、図９の大字入力領域６１０ｃに示すように「壱」、「億」、「萬」等の大字の入力枠（タブ）をタッチパネル６０５に表示し、いずれかの入力枠がタッチされたならば、該当する大字の入力操作を受け付ける。
【００８１】
大字表示部６７２は、大字入力受付部６７１により受け付けられた大字を表示処理する処理部である。例えば、「壱億壱阡四百伍萬壱」との大字が受け付けられたならば、図９に示す大字表示領域６１０ｄに大字の文字列を表示する。なお、大字表示部６７２に表示された大字と小切手の画像に含まれる大字をＯＣＲした結果とが整合しているか否かを判定する判定部を設け、この判定部により不整合と判定された場合に、所定の報知（表示又は警報音）を行うこともできる。また、大字独特の記述ルールを知識処理し、この知識処理の結果を利用して、何らかの問題があるか否かを判定部で判定し、異常があると判定された場合にその旨を報知することもできる。例えば、元の小切手の記載内容が「壱億阡四百伍萬壱」であり、ＯＣＲした結果とは無関係に、小切手の記載内容自体が、記述ルールから見て「壱億壱阡四百伍萬壱」とされているべきと知識処理で判明した場合には、「阡の前に壱が抜けている」点を報知させることも可能である。
【００８２】
金額表示部６７３は、大字入力受付部６７１により受け付けられた大字の文字列を算用数字の数字列に変換して金額表示を行う処理部である。例えば、「壱億壱阡四百伍萬壱」との大字が受け付けられたならば、図９に示す金額表示領域６１０ｅに算用数字で表記された金額を表示する。
【００８３】
＜券面確認画面の一例＞
次に、操作表示部６００に表示される券面確認画面について説明する。図９は、操作表示部６００に表示される券面確認画面の一例を示す図である。ここでは、確認対象となる小切手が有価媒体処理装置５００の一時保留部２０に一時保留されているものとする。
【００８４】
図９に示すように、この券面確認画面６１０には、画像表示領域６１０ａ、入力切替領域６１０ｂ、大字入力領域６１０ｃ、大字表示領域６１０ｄ、金額表示領域６１０ｅ及びテンキー表示領域６１０ｆを有する。また、ここではその詳細な説明を省略するが、この券面確認画面６１０には、有価証券の種別、小切手を交換する交換所番号、小切手の金融機関番号、支店番号等についても表示される。
【００８５】
画像表示領域６１０ａは、有価媒体処理装置５００の撮像部１６によって撮像された小切手の画像を表示する表示領域である。小切手以外の有価媒体の画像データが撮像された場合には、撮像された画像が画像表示領域６１０ａに表示される。
【００８６】
入力切替領域６１０ｂは、小切手に記入された金額を算用数字又は大字のいずれで入力するかを切り換えるための領域である。操作員によって「算用数字」のタブがタッチされたならば、テンキー表示領域６１０ｆに表示されたテンキーを用いて金額入力が行われる。一方、操作員によって「大字」のタブがタッチされたならば、大字入力領域６１０ｃに表示された大字キーを用いて大字入力が行われる。
【００８７】
大字入力領域６１０ｃは、「壱」、「億」、「萬」等の大字の入力枠（タブ）からなる。操作員がいずれかの入力枠をタッチしたならば、該当する大字の入力操作が受け付けられる。なお、操作員は、画像表示領域６１０ａに表示される小切手の画像に含まれる大字の金額情報を視認しながら、同じ大字を順次タッチすることになる。
【００８８】
大字表示領域６１０ｄは、大字入力領域６１０ｃにより入力された大字を表示する領域である。この大字表示領域６１０ｄは、「壱億壱阡四百伍萬壱」との大字が受け付けられたならば、かかる「壱億壱阡四百伍萬壱」との大字の文字列が大字表示領域６１０ｄに表示される。操作員による目視での比較を容易にするためである。そして、操作員は、この大字表示領域６１０ｄの表示内容と画像表示領域６１０ａに表示される小切手の画像に含まれる大字の金額情報とを見比べて、両者の一致を確認することになる。このため、この大字表示領域６１０ｄは、図中に示したように、画像表示領域６１０ａと対比可能な位置（例えば、画像表示領域６１０ａの下部）に並列に設けられる。
【００８９】
金額表示領域６１０ｅは、大字入力領域６１０ｃから入力された大字の文字列を算用数字の数字列に変換した金額を表示する表示領域である。例えば、大字入力領域６１０ｃに「壱億壱阡四百伍萬壱」との大字が入力されたならば、この金額表示領域６１０ｅに「１１４，０５０，００１」と算用数字で表記された金額が表示される。
【００９０】
テンキー表示領域６１０ｆは、「０」、「１」、「２」等の算用数字の入力枠を表示する表示領域である。かかるテンキー表示領域６１０ｆを設けた理由は、従来技術と同様に、大字に精通した操作員が、大字を参照しながら直接算用数字の入力を行えるようにするためである。
【００９１】
＜大字キー使用時の処理手順＞
次に、操作表示部６００の大字キー使用時の処理手順について説明する。図１０は、図８に示す操作表示部６００の大字キー使用時の処理手順を示すフローチャートである。ここでは、処理対象となる小切手の画像が券面確認画面６１０の画像表示領域６１０ａに表示され、入力切換領域６１０ｂで「大字」が選択されているものとする。
【００９２】
同図に示すように、操作表示部６００は、大字入力領域６１０ａの大字キーの入力を受け付けたならば（ステップＳ２０１；Ｙｅｓ）、大字表示領域６１０ｄに該当する大字を表示する（ステップＳ２０２）。入力された文字が「也」でない場合には（ステップＳ２０３；Ｎｏ）、ステップＳ２０１に移行して他の大字入力を行い、入力された文字が「也」である場合には（ステップＳ２０３；Ｙｅｓ）、大字文字列を算用数字列に変換する（ステップＳ２０４）。かかる変換には、例えば文字変換テーブルを用いることができる。
【００９３】
その後、変換された算用数字列の金額を金額表示領域６１０ｅに表示し（ステップＳ２０５）、入力された大字文字列を画像データに対応付けて記憶部６５０に記憶する（ステップＳ２０６）。
【００９４】
上記の一連の処理を行うことにより、大字に不慣れな操作員であっても、小切手の券面に記入された大字を見ながら同一の大字を入力操作するだけで、正確な算用数字を金額欄に表示させることができ、効率的かつ正確な金額入力が可能となる。
【００９５】
なお、ここでは説明の便宜上、「也」を用いて大字入力の有無を判定する場合を示したが、本発明はこれに限定されるものではなく、入力終了のキーを設ける等他の方式を採用することも可能である。
【００９６】
＜数字キー使用時の処理手順＞
次に、操作表示部６００の数字キー使用時の処理手順について説明する。図１１は、図８に示す操作表示部６００の数字キー使用時の処理手順を示すフローチャートである。ここでも、処理対象となる小切手の画像が券面確認画面６１０の画像表示領域６１０ａに表示され、入力切換領域６１０ｂで「数字」が選択されているものとする。
【００９７】
同図に示すように、操作表示部６００は、テンキー表示領域６１０ｆのテンキーの入力を受け付けたならば（ステップＳ３０１；Ｙｅｓ）、金額表示領域６１０ｅに入力された数字を表示する（ステップＳ３０２）。入力された文字が「円」でない場合には（ステップＳ３０３；Ｎｏ）、ステップＳ３０１に移行して他の数字入力を行い、入力された文字が「円」である場合には（ステップＳ３０３；Ｙｅｓ）、入力された算用数字の数字列を画像データに対応付けて記憶部６５０に記憶する（ステップＳ３０４）。
【００９８】
上述してきたように、本実施例では、操作員が、券面確認画面６１０の入力切替領域６１０ｂで「大字」を選択し、画像表示領域６１０ａに表示された大字と同じ大字が大字入力領域６１０ｃを用いて入力すると、入力された大字が大字表示領域６１０ｄに表示されるとともに、この大字文字列を算用数字に変換して金額表示領域６１０ｅに表示するよう構成したので、操作員は大字の一致チェックを行うだけで、正確かつ効率的に金額入力を行うことが可能となる。
【００９９】
＜変形例＞
ところで、本実施例では、券面確認画面６１０の入力切替領域６１０ｂで「数字」が選択され、テンキー表示領域６１０ｆのテンキーから入力されたならば、算用数字を金額表示領域６１０ｅに表示して処理を終了する場合を説明したが、本発明はこれに限定されるものではない。
【０１００】
具体的には、図１２に示すように、券面確認画面６１０の入力切替領域６１０ｂで「数字」が選択され（ステップＳ１０）、テンキー表示領域６１０ｆのテンキーから入力されたならば（ステップＳ１１）、算用数字を金額表示領域６１０ｅに表示し（ステップＳ１２）、この算用数字列を大字文字列に変換して、変換後の大字文字列を大字表示領域６１０ｄに表示させる（ステップＳ１３）、ように構成することもできる。このようにすることで、算用数字をテンキー入力する場合であっても、小切手の画像に含まれる大字と大字表示領域６１０ｄに表示される大字の一致確認を行うことで、その金額の正否を確認することが可能となる。
【０１０１】
図１３は、本変形例による数字キー使用時の処理手順を示すフローチャートである。ここでも、処理対象となる小切手の画像が券面確認画面６１０の画像表示領域６１０ａに表示され、入力切換領域６１０ｂで「数字」が選択されているものとする。
【０１０２】
同図に示すように、操作表示部６００は、テンキー表示領域６１０ｆのテンキーの入力を受け付けたならば（ステップＳ４０１；Ｙｅｓ）、金額表示領域６１０ｅに入力された数字を表示する（ステップＳ４０２）。入力された文字が「円」でない場合には（ステップＳ４０３；Ｎｏ）、ステップＳ４０１に移行して他の数字入力を行う。入力された文字が「円」である場合には（ステップＳ４０３；Ｙｅｓ）、入力された算用数字の数字列を大字文字列に変換し（ステップＳ４０４）、大字表示領域６１０ｄに大字文字列を表示した後（ステップＳ４０５）、数字列を画像データに対応付けて記憶部６５０に記憶する（ステップＳ４０６）。
【０１０３】
なお、上記の実施例では、説明の便宜上、小切手の金額を入力する場合を示したが、本発明はこれに限定されるものではなく、大字によって金額が記入された各種の有価証券を対象とする場合に適用することができる。
【０１０４】
また、上記の実施例では、操作員が大字を入力すると、大字表示領域６１０ｄに大字を表示するとともに、該大字に対応する算用数字が金額表示領域６１０ｅに表示されることとしたが、所定の確認ボタンが操作された場合に、画像表示領域６１０ａの小切手の画像に含まれる大字と入力された大字とを比較し（桁数チェックも含む）、異なる場合に強調表示を行うよう構成することもできる。この場合は、画像表示領域６１０ａの小切手の画像から大字をＯＣＲ処理できることが前提となる。なお、ある箇所の大字が強調表示されたとしても、再度確認ボタンが押下操作されたならば、金額を確定するよう構成することもできる。画像からの大字のＯＣＲ処理が正確でないケースがあるためである。
【産業上の利用可能性】
【０１０５】
本発明の貨幣処理システム及び有価証券処理方法は、小切手、手形等の有価証券の大字により表記された金額と一致する算用数字の金額情報を効率的かつ正確に入力する場合に有用である。
【符号の説明】
【０１０６】
１  貨幣処理システム
１０  投入部
１２、５２ａ〜５２ｄ  繰出機構
１４  搬送部
１６  撮像部
１８  扉
２０  一時保留部
２０ａ，４２ａ  ドラム
３０  特定有価証券収納部
４０、４２  損券収納部
５０  新券収納部
６０  払出部
６１ａ  シャッタ
６１ｂ  抜き取り検知部
６２  羽根車
６４  簡易識別部
８０、８００  制御部
８２、８０８  記憶部
８４、８０２  通信部
１００  バラ紙幣処理装置
２００  束紙幣処理装置
３００  バラ硬貨処理装置
４００  包装硬貨処理装置
５００  有価媒体処理装置
６００  操作表示部
６０５  タッチパネル
６１０  券面確認画面
６１０ａ  画像表示領域
６１０ｂ  入力切替領域
６１０ｃ  大字入力領域
６１０ｄ  大字表示領域
６１０ｅ  金額表示領域
６１０ｆ  テンキー表示領域
６２０  通信インタフェース部
６３０  ＲＡＭ
６４０  ＲＯＭ
６５０  記憶部
６６０  制御部
６７０  タッチパネル制御部
６７１  大字入力受付部
６７２  大字表示部
６７３  金額表示部
７００  プリンタ
８０４  ＲＯＭ
８０６  ＲＡＭ
８１０  ＩＤカードリーダ
【図１】
2017168013.tif 000003
【図２】
2017168013.tif 000004
【図３】
2017168013.tif 000005
【図４】
2017168013.tif 000006
【図５】
2017168013.tif 000007
【図６】
2017168013.tif 000008
【図７】
2017168013.tif 000009
【図８】
2017168013.tif 000010
【図９】
2017168013.tif 000011
【図１０】
2017168013.tif 000012
【図１１】
2017168013.tif 000013
【図１２】
2017168013.tif 000014
【図１３】
2017168013.tif 000015